(57)【要約】【課題】本願の課題は、パネル紙ブランク（１００）から形成することができる折り畳み式のバスケットスタイルの携行器（２００）を提供することである。【解決手段】バスケットスタイルの携行器（２００）は、底部壁（１０２）、１対の対向する側部壁（１０６、１０８）、１対の対向する端部壁（２０２、２０４）、端部壁（２０２、２０４）の間を延びる中間梁（Ｍ）、および端部壁（２０２、２０４）の各々内のスロットハンドル（Ｈ）を含む。中間梁（Ｍ）ならびに中間梁（Ｍ）、端部壁（２０２、２０４）、および底部壁（１０２）の接続され方により、携行器の構造的一体性が得られる。バスケットスタイルの携行器（２００）はまた、横方向の仕切パネル（１８８ａ、１８８ｂ）を含み、この仕切パネルは、中間梁（Ｍ）から側部壁（１０６、１０８）に延びて瓶などの物品を受け入れるための区画を画定する。【選択図】図１
2008302975.tif 000002
【特許請求の範囲】
【請求項１】
底部壁と、
１対の対向する側部壁と、
１対の対向する端部壁であって、前記１対の対向する端部壁のそれぞれが、
その中に少なくとも部分的に画定された角の開口部を各々が有し、前記側部壁のそれぞれ１つに各々が折り曲げ可能に接続された１対の側端部フラップであって、その遠位縁が前記それぞれの角の開口部を結合するために互いに当接し、それによって少なくとも部分的にスロットハンドルを画定するように互いに向って延びる、側端部フラップを備える、前記１対の対向する端部壁と、
前記端部壁間に延びる中間梁と、
前記端部壁の各々と接続し、そこから内側に延びる複合仕切部であって、その各々が前記中間梁に接続されている、前記複合仕切部と、
を備えることを特徴とするバスケットスタイルの携行器。
【請求項２】
各々の複合仕切部が、１対の仕切パネルを備え、前記１対の仕切パネルの各々が、前記１対の側端部フラップのそれぞれ１つの遠位縁に折り曲げ可能に接続され、前記１対の仕切部パネルが互いに平面接触していることを特徴とする請求項１に記載の携行器。
【請求項３】
各々の角の開口部が、さらに、各々の側端部フラップと隣接する仕切パネルの間の折り曲げ可能な接続に割り込むように前記１対の仕切パネルのそれぞれ１つ内に画定されることを特徴とする請求項２に記載の携行器。
【請求項４】
前記底部壁に折り曲げ可能に接続され、前記１対の側端部フラップと面が接触する配置で配設された底端部フラップをさらに備え、前記底端部フラップが前記結合された角の開口部と位置合わせされたハンドル開口部を有し、それによって少なくとも部分的に前記スロットハンドルを画定していることを特徴とする請求項２に記載の携行器。
【請求項５】
前記スロットハンドルに動作可能に結合されたハンドルフラップをさらに備え、前記角の開口部が、前記１対の仕切パネルの各々内に延び、それによって前記ハンドルフラップを前記携行器に対して内側に折り畳むための空隙を提供する凹部を画定することを特徴とする請求項４に記載の携行器。
【請求項６】
前記底部壁に折り曲げ可能に接続され、前記１対の側端部フラップと面が接触する配置で配設された底端部フラップをさらに備え、前記底端部フラップが前記結合された角の開口部に位置合わせされたハンドル開口部を有し、それによって少なくとも部分的に前記スロットハンドルを画定していることを特徴とする請求項１に記載の携行器。
【請求項７】
各々が前記底端部フラップの縁に折り曲げ可能に接続され、前記１対の側端部フラップと面が接触する配置で配設された１対の補強部分をさらに備え、前記１対の補強部分が前記結合された角の開口部に位置合わせされた切欠部を画定し、それによって少なくとも部分的に前記スロットハンドルを画定していることを特徴とする請求項６に記載の携行器。
【請求項８】
前記底端部フラップが、前記１対の側端部フラップの外側表面と平面接触しており、前記１対の補強部分が、前記１対の側端部フラップの内側表面と平面接触していることを特徴とする請求項７に記載の携行器。
【請求項９】
底部壁と、
１対の対向する側部壁と、
１対の対向する端部壁であって、各々の端部壁が、
前記側部壁のそれぞれ１つに各々が折り曲げ可能に接続された１対の側端部フラップのそれぞれであって、前記各々の端部壁の前記側端部フラップが、その遠位縁が互いに隣接するように互いに向って延びる、前記１対の側端部フラップと、
前記底部壁に折り曲げ可能に接続され、前記各々の端部壁の前記側端部フラップと面が接触する配置で配設される底端部フラップと、を備えている前記１対の対向する端部壁と、
前記各々の端部壁に接続され、１対の仕切パネルを各々が備える複合仕切部であって、前記各々の複合仕切部の前記仕切パネルの各々が、前記側端部フラップのそれぞれ１つの遠位縁に折り曲げ可能に接続され、前記各々の複合仕切部の前記仕切パネルが互いに平面接触している、前記複合仕切部と、
前記複合仕切部の各々に接続され、前記端部壁の間を延びる、中間梁と、を備えることを特徴とするバスケットスタイルの携行器。
【請求項１０】
前記各々の端部壁が、両方ともが前記各々の端部壁の前記底部壁フラップの縁に折り曲げ可能に接続され、前記中間梁の両側に配設された１対の補強部分をさらに備えていることを特徴とする請求項９に記載の携行器。
【請求項１１】
前記各々の端部壁の前記底端部フラップが、前記各々の端部壁の前記側端部フラップの外側表面と平面接触し、前記各々の端部壁の前記１対の補強部分が、前記各々の端部壁の前記側端部フラップの内側表面と平面接触していることを特徴とする請求項１０に記載の携行器。
【請求項１２】
補強された端部壁を有するバスケットスタイルの携行器を形成するためのブランクであって、
底部パネルと、
前記底部パネルに折り曲げ可能に接続された底端部フラップであって、その中に画定されたハンドル開口部を有する、前記底端部フラップと、
前記ブランクがバスケットスタイルの携行器を形成するように組み立てられる場合に、それぞれが前記底部パネルに折り曲げ可能に接続されるように各々が配置される、第１の側部パネルおよび第２の側部パネルと、
前記第１の側部パネルおよび前記第２の側部パネルにそれぞれ折り曲げ可能に接続された第１の側端部フラップおよび第２の側端部フラップであって、その各々が中に画定された角の開口部を有する、前記第１の側端部フラップおよび前記第２の側端部フラップと、
前記第１の側端部フラップおよび前記第２の側端部フラップにそれぞれ折り曲げ可能に接続された第１の仕切パネルおよび第２の仕切パネルであって、前記第１の側端部フラップおよび第２の側端部フラップの前記角の開口部がそれぞれ、前記第１の仕切パネル及び前記第２の仕切パネルの中に延びる、仕切パネルと、を含むことを特徴とするブランク。
【請求項１３】
前記ブランクが携行器に組み立てられる場合に、前記第１の仕切パネルおよび前記第２の仕切パネルが、前記角の開口部が結合されるように面が接触する配置で配設され、
前記底端部フラップが、前記角の開口部が前記ハンドル開口部と位置合わせされるように前記第１の側端部フラップおよび前記第２の側端部フラップと面が接触する配置にあることを特徴とする請求項１２に記載のブランク。
【請求項１４】
前記底端部フラップに折り曲げ可能に接続された補強パネルをさらに備え、前記補強パネルがその中に画定された切欠部を有し、その結果、前記ブランクが組み立てられる場合に、前記補強パネルが前記第１および第２の仕切パネルと面が接触する配置で配設され、前記切欠部が前記角の開口部と位置合わせされることを特徴とする請求項１３に記載のブランク。
【発明の詳細な説明】
【技術分野】
【０００１】
［関連出願への相互参照］
本出願は、２００７年３月２６日出願の米国仮特許出願第６０／９０８，１５５号に対する優先権を主張し、参照によりその全体が本明細書に組み込まれる。
【０００２】
本発明は、カートンに関し、より詳細には、補強された端部ハンドルおよび剛性を有する中間梁を有するバスケットスタイルの配送携行器に関する。
【背景技術】
【０００３】
複数の物品を、それらが個々のハンドリング用に配設される場所に輸送するために、プラスチック製トレイがしばしば使用される。特に、プラスチック製トレイは、缶や瓶などの飲料容器を、個々の物品として販売する小売店または自動販売機などの購買場所に輸送するのに使用される。
【０００４】
プラスチック製トレイの欠点は、荷を降ろした後、多くの処理が必要になることである。通常、トレイは、積み込み場所に戻され、保管され、再使用の前には洗浄されなければならない。プラスチック製トレイは、しばしば、販売場所で失われたり、不注意に置き忘れたりする。こうした欠点により、購買場所に飲料容器を搬入するプロセスにさらにコストがかかる。個々の物品を購買場所に輸送するのを簡略化し、そのコストを低減する手段を有することが有用になるはずであることが理解され得る。
【特許文献１】米国仮特許出願第６０／９０８，１５５号
【発明の開示】
【発明が解決しようとする課題】
【０００５】
本発明の様々な実施形態は、例えば１枚のパネル紙から形成することができる折り畳み式のバスケットスタイルの携行器を提供することによって従来技術の欠点を克服する。このバスケットスタイルの携行器は、特に配送用途に好適であり、構造的一体性を提供する中間梁、および複数の物品を運搬するために携行器の端部を補強する一体型のスロットハンドルを備えた補強された端部壁、例えば配送に好都合である単層構成を有する。こうした特徴により、有利には、携行器の側部または底部において余分な材料を必要とせずに携行器が補強される。
【課題を解決するための手段】
【０００６】
概略的に説明すれば、バスケットスタイルの携行器は、底部壁、１対の対向する端部壁、１対の対向する端部壁、端部壁の間を延びる中間梁、および各々の端部壁内のスロットハンドルを含む。中間梁ならびに中間梁、端部壁、および底部壁の接続され方により、携行器の構造的一体性が得られる。バスケットスタイルの携行器はまた、瓶などの物品を受け入れるための区画を画定するために中間梁から側部壁に延びる横方向の仕切パネルを含むこともできる。
【０００７】
本発明の１つの態様によれば、複合仕切部が、端部壁の各々に接続され、中間梁が、複合仕切部の各々に接続されている。具体的には、各々の端部壁は、側部壁に折り曲げ可能に接続され、その遠位縁が互いに隣接するように互いに向って延びる、１対の側端部フラップを含む。各々の複合仕切部は、互いに固定された１対の仕切パネルを含む。各々の仕切パネルは、側端部フラップのそれぞれ１つの遠位縁に折り曲げ可能に接続される。各々の側端部フラップ内には、角の開口部（corner apertures）が画定され、同時に角の開口部は、略連続的なスロットハンドルを提供する。特定の実施形態では、角の開口部は、複合仕切部が実質的にスロットハンドルを遮らないように側端部フラップとそれぞれの仕切パネルの間の折り曲げ可能な接続に割り込む。
【０００８】
本発明の別の態様によれば、各々の端部壁は、さらに、底端部フラップおよび１対の補強部分を含む。底端部フラップは、底部壁に折り曲げ可能に接続され、側端部フラップの外側表面と平パネル接触しており、角の開口部と位置合わせしてさらにスロットハンドルを提供するように配置された補強開口部を含む。この補強部分は、底端部フラップの遠位縁に折り曲げ可能に接続され、側端部フラップの内側表面と平面接触し、その間には中間梁および複合部分と位置合わせされる切欠部を有する。切欠部は、角の開口部と位置合わせし、さらにスロットハンドルを提供するように成形される。
【０００９】
上記では、本発明の態様および特徴の一部を広範囲に既説してきたが、それは、本発明の様々な潜在的用途を単に例示するものとして解釈するべきである。開示された情報を異なる方法で適用することにより、あるいは開示された実施形態の様々な態様を組み合わせることにより、他の有益な結果を得ることができる。したがって、特許請求の範囲によって定義された本発明の範囲に加えて、添付の図面と共にとりあげた例示的な実施形態の詳細な説明を参照することにより、本発明の他の態様およびより包括的な理解を得ることができる。
【発明を実施するための最良の形態】
【００１０】
要求に応じ、本発明の詳細な実施形態が本明細書で開示される。開示された実施形態は単に本発明の例にすぎず、それは様々なおよび代替の形態、ならびにその組合せで具現化されてよいことを理解しなければならない。本明細書で使用されるように、用語「例示的」は、実例、見本、ひな形または模範として働く実施形態を示すために展開的に使用される。図は、縮尺どおりである必要はなく、一部の特徴は、特定の構成要素の詳細を示すために誇張され、あるいは最小化されることがある。他の例では、よく知られた構成要素、システム、材料、または方法は、本発明を不明慮にすることを避けるために詳細には説明されていない。したがって、本明細書に開示された特定の構造および機能の詳細は、限定的としてではなく、単に特許請求の範囲の基準として、かつ本発明を様々に使用することを当業者に教示するための代表的な基準として解釈されるものとする。
【００１１】
次に、（複数の図にわたり、同様の番号が同様の要素を示す）図を参照すれば、図は、バスケットスタイルの物品携行器の例示的な実施形態の様々な態様のうちの特定のものを示している。バスケットスタイルの物品携行器は、小売流通のための飲料瓶の輸送を含む用途に関連して説明されるが、そのような物品携行器はどのような好適な用途にも使用できることが企図される。一般に、図示され説明される物品携行器は、自動販売機または購買場所あるいは小売業者の陳列ケース、冷蔵ケースなどに配置される予定である個々の飲料瓶を配送するトラック運転手によって通常使用される再利用可能なプラスチック製トレイに代わる、より低コストの使い捨て可能な代替品である。
【００１２】
バスケットスタイルの物品携行器２００（図６および７）は、その構造的一体性を高める中間梁Ｍを含み、その端部壁２０２、２０４の一方または両方にスロットハンドルＨを提供し、このスロットハンドルＨは、以下により詳細に説明されるように、端部壁２０２、２０４それぞれの少なくとも一部分を構成する３層以上の材料で形成された共働開口部、ノッチ、および切欠部などから形成されている。
【００１３】
最初に図１を参照すれば、例示的な物品携行器２００が、ブランク１００から形成されており、このブランク１００は、それだけに限定されないが、パネル紙、カードストック、ボール紙、プラスチックシートなどの１枚の折り畳み可能な材料から打ち抜かれることが好ましい。図には、内側表面が示されている。
【００１４】
ブランク１００は、いくつかのパネルを含み、その各々は、ブランクが折り畳まれ、配列され、固定され、および別の形でその最終または組み立てられた形態に構成された後、物品携行器２００の特徴点を画定するために必要に応じて折り畳み可能または折り曲げ可能に互いに接続される。明確にするために、図１〜４では、折り畳まれていない折曲げ線は破線として示され、分断線は実線として示される。
【００１５】
ブランク１００は、折曲げ線１０４に沿って第１の側部パネル１０６に折り曲げ可能に接続された底部パネル１０２を含む。第２の側部パネル１０８は、以下に説明されるように、第１の側部パネル１０６に間接的に接続される。底部パネル１０２は、組み立てられた後、物品携行器の底支持表面を画定し、これ以降、底部壁と称される。底端部フラップ１１０、１１２は、底部壁１０２に各々の末端縁に折り曲げ可能に接続される。すなわち、第１の底端部フラップ１１０は、折曲げ線１１４に沿って底部パネル１０２の末端縁に折り曲げ可能に接続され、第２の底端部フラップ１１２は、折曲げ線１１６に沿って底部パネル１０２の反対側の末端縁に折り曲げ可能に接続される。
【００１６】
任意のまたは概念的な中間線１１８が、ブランク１００の底部パネル１０２および底端部フラップ１１０、１１２を分岐する。具体的には、中間線１１８は、底部パネル１０２の長手方向軸を画定する中間線部分１１８ａおよび各々の底端部フラップ１１０、１１２内に形成されたスロット形状のハンドル開口部１２０、１２２の中央線を画定する中間線部分１１８ｂ、１１８ｃを含む。ハンドルフラップＦが、ハンドル開口部１２０、１２２の縁部に沿って折り曲げ可能に接続される。折曲げ線１２３、１２５それぞれに沿って各々の底端部フラップ１１０に折り曲げ可能に接続された補強パネル１２４、１２６もまた、中間線部分１１８ｂ、１１８ｃに沿って補強部分１２４ａ、１２４ｂおよび１２６ａ、１２６ｂの対に分割される。同時に、補強部分１２４ａ、１２４ｂおよび１２６ａ、１２６ｂの各々の対は、折り畳まれて隣接する底端部フラップ１１０、１１２と面が接触する関係になるときハンドル開口部１２０、１２２と一致する切欠部１２８、１３０を近似する。各々の切欠部１２８、１３０を画定するために、ノッチ１３２ａ、１３２ｂおよび１３４ａ、１３４ｂが、補強部分１２４ａ、１２４ｂおよび１２６ａ、１２６ｂの各々から打ち抜かれる。
【００１７】
次に、側部壁１０６、１０８間の連結が説明される。第１の側部パネル１０６の末端縁は、それぞれ折曲げ線１３６、１４０に沿って第１の側端部フラップ１３８、１４２に折り曲げ可能に接続される。第１の側端部フラップ１３８、１４２は、折曲げ線１４６、１５０に沿って仕切パネル１４４、１４８に折り曲げ可能に接続される。
【００１８】
折曲げ線１４６に沿って画定された仕切パネル１４４の近位縁の部分はまた、第１の梁構成要素１７６に折り曲げ可能に接続される。梁構成要素１７６はまた、折曲げ線１３６と位置合わせされた折曲げ線１８５に沿って横方向の仕切パネル１８４ａに折り曲げ可能に接続される。横方向の仕切パネル１８４ａは、その他方の端部で折曲げ線１８６ａに沿って第１の側部パネル１０６に折り曲げ可能に接続される。
【００１９】
同様に、梁構成要素１７６は、折曲げ線１６６によって画定された仕切パネル１６４の近位縁に折り曲げ可能に接続され、この仕切パネル１６４はまた、折曲げ線１６６に沿って側端部フラップ１５８に折り曲げ可能に接続される。側端部フラップ１５８は、折曲げ線１５６に沿って第２の側部パネル１０８に折り曲げ可能に接続される。梁構成要素１７６はまた、折曲げ線１５６と位置合わせされた折曲げ線１８３に沿って別の横方向の仕切パネル１８４ｂに折り曲げ可能に接続される。横方向の仕切パネル１８４ｂは、その他方の端部で折曲げ線１８６ｂに沿って第２の側部パネル１０８に折り曲げ可能に接続される。
【００２０】
別の梁構成要素１７８は、関連する横方向の仕切パネル１８８ａ、１８８ｂと共に第１の側部パネル１０６の反対側の端部と第２の側部壁１０８を連結する。より具体的には、折曲げ線１５０によって画定された仕切パネル１４８の近位縁部分が、第２の梁構成要素１７８に折り曲げ可能に接続される。梁構成要素１７８は、折曲げ線１４０と位置合わせされた折曲げ線１８７に沿って横方向の仕切パネル１８８ａに折り曲げ可能に接続される。横方向の仕切パネル１８８ａは、その他方の端部で折曲げ線１９０ａに沿って第１の側部パネル１０６に折り曲げ可能に接続される。
【００２１】
梁構成要素１７８はまた、折曲げ線１７０によって画定された仕切パネル１６８の近位縁に折り曲げ可能に接続され、この仕切パネル１６８は、折曲げ線１７０に沿って側端部フラップ１６２に折り曲げ可能に接続される。側端部フラップ１６２は、折曲げ線１６０に沿って第２の側部パネル１０８に折り曲げ可能に接続される。梁構成要素１７８は、さらに、折曲げ線１６０と位置合わせされた折曲げ線１８９に沿って横方向の仕切パネル１８８ｂに折り曲げ可能に接続される。横方向の仕切パネル１８８ｂは、その他方の端部で折曲げ線１９０ｂに沿って第２の側部パネル１０８に折り曲げ可能に接続される。
【００２２】
上記で説明された配置によれば、梁構成要素１７６、１７８は、基本的には一連の折り曲げ可能な接続を介して側部パネル１０６、１０８に間接的に接続し、それにより、以下で説明されるように物品携行器２００の組立てが容易になる。折曲げ線１８０、１８２は、それぞれ梁構成要素１７６、１７８を分岐する。
【００２３】
ブランク１００はまた、角の開口部１５２、１５４、１７２、１７４を含み、その各々は、それぞれの側端部フラップ１３８、１４２、１５８、１６２内に少なくとも部分的に形成され、折曲げ線１４６、１５０、１６６、１７０を超えて仕切パネル１４４、１４８、１６４、１６８上に延びることができる。縁フラップ１９２が、折曲げ線１９４に沿って第２の側部パネル１０８に折り曲げ可能に接続される。
【００２４】
次に、例示のためであり限定的ではないが、物品携行器２００を手動でまたは自動的に組み立てる例示的方法が、図１〜６を参照して説明される。最初に図１〜４を参照すれば、ブランク１００が、（図４に示される）部分的に折り畳まれ固定された物品携行器２００を形成するように折り畳まれ、この物品携行器２００は、折り畳んだ状態で容易に格納および輸送することができ、その後ブランク１００はすべて組み立てられて（図６および７に示される）物品携行器２００を形成する。図１および２を参照すれば、ブランク１００は、側端部フラップ１３８、１５８が折曲げ線１３６、１５６に沿って折り重なり、横方向の仕切パネル１８４ａ、１８４ｂが折曲げ線１８３、１８５、１８６ａ、１８６ｂに沿って折り重なり、梁構成要素１７６が折曲げ線１４６、１６６に沿って折り重なるように折り畳まれる。したがって、梁構成要素１７６は、梁構成要素１７８に重なり、横方向の仕切パネル１８４ａ、１８４ｂはそれぞれ第１および第２の側部パネル１０６、１０８に重なる。接着剤が、梁構成要素１７６、１７８の一方または両方に塗布されて、梁構成要素１７６、１７８の重なり部分が互いに固定される。さらに、仕切パネル１４８、１６８が、折曲げ線１５０、１７０に沿って折り畳まれて側端部フラップ１４２、１６２上に重ねられる。
【００２５】
接着剤が、さらに梁構成要素１７６、仕切パネル１４４、１６４の一方または両方、および仕切パネル１４８、１６８の一方または両方に塗布される。図２および３を参照すれば、次いでブランク１００が、折曲げ線１８０、１８２に沿って折り畳まれ、その結果、折曲げ線１８０の両側の梁構成要素１７６の部分が互いに固定され、仕切パネル１４４、１６４が互いに固定され、仕切パネル１４８、１６８が互いに固定されるようになる。
【００２６】
図３および４を参照すれば、その後、縁フラップ１９２および底部パネル１０２に接着剤が塗布され、底端部フラップ１１０、１１２が、底部パネル１０２が縁フラップ１９２に固定されるように折曲げ線１１８に沿って折り畳まれる。図４を参照すれば、ブランク１００は、折り畳まれ、固定されて、物品携行器２００が折り畳まれ部分的に組み立てられたバージョンを形成しており、それは、図５に示された、組み立てられているが未完成の物品携行器２００を形成するように構成することができる。物品携行器２００は、以下の説明の如く完成される。
【００２７】
図４に示される折り畳まれた物品携行器は、図５に示される部分的に組み立てられた物品携行器へと展開される。これ以後、特定のパネルは壁として称される。底部パネル１０２は底部壁１０２を提供し、側部パネル１０６、１０８は側部壁１０６、１０８を提供し、側端部フラップ１３８、１４２、１５８、１６２は部分的に端部壁２０２、２０４を提供する。梁構成要素１７６、１７８が、互いに固定され、中間梁Ｍを形成するように構成されており、この中間梁Ｍは、底部パネル１０２上および底部壁２０２、２０４間を長手方向に延びる。横方向の仕切パネル１８４ａ、１８４ｂ、１８８ａ、１８８ｂは、中間梁Ｍから第１の側部壁１０６および第２の側部壁１０８に延びる。仕切パネル１４４、１４８、１６４、１６８は、互いに固定されて、図５に示されるように中間梁Ｍの層がその両側に位置する複合仕切部Ｐを提供する。
【００２８】
次に、特に図５および６を参照すれば、端部壁２０２および２０４（図６）が、完成されている。糊またはシート材料を固定するその他の手段が、底端部フラップ１１０、１１２の内側表面および補強部分１２４ａ、１２４ｂおよび１２６ａ、１２６ｂの内側表面に塗布される。底端部フラップ１１０、１１２が、内側に折り畳まれてそれぞれの側端部フラップ１３８、１５８および１４２、１６２に対して面が接触する関係になり、補強フラップ１２４、１２６は、側端部フラップ１３８、１５８および１４２、１６２を補強フラップ１２４、１２６と側端部フラップ１１０、１１２の間に挟むように折り重ねられる。
【００２９】
明確に言えば、補強フラップ１２４、１２６は、有利には補強部分１２４ａ、１２４ｂおよび１２６ａ、１２６ｂとして形成されるので、中間梁Ｍを避けて、好ましくはその内側表面が側端部フラップ１３８、１５８および１４２、１６２の内側表面それぞれに平坦に接触するように折り畳むことができる。
【００３０】
したがって、図６を再び参照すれば、補強されたスロットハンドルＨが形成されており、このときハンドル開口部１２０、１２２は、切欠部１２８、１３０と位置が合わせられ、共働の角の開口部１５２、１７２、１５４、１７４を有している。角の開口部１５２、１７２、１５４、１７４によって形成された仕切部Ｐ内の凹部Ｒは、ハンドルフラップＦを携行器２００の内部に向って折り畳むことができるように空隙を提供する。
【００３１】
多くの変更および改変が、特許請求の範囲の範囲を逸脱することなく上記で説明された実施形態に加えられてよい。例えば、例示的な物品携行器２００は、図７に示されるように、６組の４本の瓶Ｂを運搬するための６つの区画を提供するように設計されているが、この物品携行器は、それよりも多いまたは少ない瓶Ｂを保持するように、あるいは瓶Ｂの組をさらに多いまたは少ない組に分割するように改変できることが企図される。物品携行器は、使い捨て可能な材料から構築されてよく、あるいは再利用可能でもよい。こうしたすべての改変形態、組合せ、および変更形態は、本開示の範囲および添付の特許請求の範囲によって本明細書に含められる。
【図面の簡単な説明】
【００３２】
【図１】本発明の例示的な実施形態による物品携行器を形成するためのブランクの平面図である。
【図２】ブランクを折り畳む例示的な方法のステップを示す図１のブランクの平面図である。
【図３】ブランクを折り畳む例示的な方法のステップを示す図１のブランクの平面図である。
【図４】ブランクを折り畳む例示的な方法のステップを示す図１のブランクの平面図である。
【図５】図１のブランクから部分的に組み立てられた状態の物品携行器の斜視図である。
【図６】完全に組み立てられた状態の図５の物品携行器の斜視図である。
【図７】飲料瓶が載せられた状態の図６の物品携行器の側面図である。
【符号の説明】
【００３３】
１００    ブランク
１０２    底部パネル
１０４、１１４、１１６、１３６、１４０、１４６、１５０、１５６、１６０、１６６、１７０、１８０、１８２、１８３、１８５、１８６ａ、１８６ｂ、１８７、１８９、１９０ａ、１９０ｂ、１９４    折曲げ線
１０６    第１の側部パネル
１０８    第２の側部パネル
１１０、１１２    底端部フラップ
１１８    中間線
１１８ａ、１１８ｂ、１１８ｃ    中間線部分
１２０、１２２    スロットハンドル開口部
１２４、１２６    補強パネル
１２４ａ、１２４ｂ、１２６ａ、１２６ｂ    補強パネル部分
１２８、１３０    切欠部
１３２ａ、１３２ｂ、１３４ａ、１３４ｂ    ノッチ
１３８、１４２    第１の側端部フラップ
１４４、１４８、１６４、１６８    仕切パネル
１５２、１５４、１７２、１７４    角の開口部
１５８、１６２    側端部フラップ
１７６    第１の梁構成要素
１７８    第２の梁構成要素
１８４ａ、１８４ｂ、１８８ａ、１８８ｂ    横方向の仕切パネル
１９２    縁フラップ
２００    物品携行器
２０２、２０４    端部壁
【図１】
2008302975.tif 000003
【図２】
2008302975.tif 000004
【図３】
2008302975.tif 000005
【図４】
2008302975.tif 000006
【図５】
2008302975.tif 000007
【図６】
2008302975.tif 000008
【図７】
2008302975.tif 000009
【外国語明細書】
2008302975.tif 000010
2008302975.tif 000011
2008302975.tif 000012
2008302975.tif 000013
2008302975.tif 000014
2008302975.tif 000015
2008302975.tif 000016
2008302975.tif 000017
2008302975.tif 000018
2008302975.tif 000019
2008302975.tif 000020
2008302975.tif 000021
2008302975.tif 000022
2008302975.tif 000023
2008302975.tif 000024
2008302975.tif 000025
2008302975.tif 000026
2008302975.tif 000027
2008302975.tif 000028
2008302975.tif 000029